【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
プリアンブルと、ヘッダと、データペイロードとを備えるフレームを生成するように構成された処理システムと、ここにおいて、第１のデバイスが第１のプロトコルに従って動作するとき、前記プリアンブル、前記ヘッダ、および前記データペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記データペイロードが、前記第２のデバイスによって復号可能でなく、ここにおいて、前記処理システムが、前記第１のプロトコルに従ってＭＣＳの第１のセットのうちの１つを用いて前記データペイロードを符号化および変調するように構成され、ここにおいて、前記処理システムが、前記第２のプロトコルに従って変調コーディング方式（ＭＣＳ）の第２のセットのうちの１つを用いて前記ヘッダを符号化および変調するように構成され、ここにおいて、ＭＣＳの前記第１のセットがＭＣＳの前記第２のセットとは異なる、
送信のために前記フレームを出力するように構成されたインターフェースと
を備える、ワイヤレス通信のための装置。
【請求項２】
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第１のセットは、ＭＣＳの前記第２のセットのサブセット（subset）でない、請求項１に記載の装置。
【請求項３】
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第１のセットは、ＭＣＳの前記第２のセットのサブセットでない、請求項１に記載の装置。
【請求項４】
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、請求項１に記載の装置。
【請求項５】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項１に記載の装置。
【請求項６】
プリアンブルと、ヘッダと、データペイロードとを備えるフレームを生成するように構成された処理システムと、ここにおいて、第１のデバイスが第１のプロトコルに従って動作するとき、前記プリアンブル、前記ヘッダ、および前記データペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記データペイロードが、前記第２のデバイスによって復号可能でなく、ここにおいて、前記処理システムが、前記フレームにスペクトルマスクを適用するように構成され、ここにおいて、前記スペクトルマスクが、それを介して前記フレームが送信されるべきボンデッドチャネルの数の関数であるコーナーを備える、
送信のために前記フレームを出力するように構成されたインターフェースと
を備える、ワイヤレス通信のための装置。
【請求項７】
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーと
を備える、請求項６に記載の装置。
【請求項８】
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、請求項６に記載の装置。
【請求項９】
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーと
を備える、請求項６に記載の装置。
【請求項１０】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項６に記載の装置。
【請求項１１】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でない、
時間的にボンディングされるが、周波数的に分離された複数のチャネルを介した送信のために前記フレームを出力するように構成されたインターフェースと、ここにおいて、前記複数のチャネルのうちの少なくとも２つが、送信のために利用可能な少なくとも１つの別のチャネルによって周波数的に分離され、ここにおいて、前記インターフェースが、前記複数のチャネルのうちの前記少なくとも２つのみを介した送信のために前記フレームを送信するように構成された、
を備える、ワイヤレス通信のための装置。
【請求項１２】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項１１に記載の装置。
【請求項１３】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でない、
複数の直交周波数分割多重（ＯＦＤＭ）ボンデッドチャネルを介した送信のために前記フレームを出力するように構成されたインターフェースと、ここにおいて、前記データペイロードを送信するためのデータサブキャリアの数が、前記ＯＦＤＭボンデッドチャネルの数の関数であるか、ここにおいて、データサブキャリアの前記数が、前記ＯＦＤＭボンデッドチャネルの前記数が２である場合、７３２、７３４、または７３５であるか、ここにおいて、データサブキャリアの前記数が、前記ＯＦＤＭボンデッドチャネルの前記数が３である場合、１１２８、１１３３、または１１３４であるか、または、データサブキャリアの前記数が、前記ＯＦＤＭボンデッドチャネルの前記数が４である場合、１５２４、１５３３、または１５３４である、
を備える、ワイヤレス通信のための装置。
【請求項１４】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項１３に記載の装置。
【請求項１５】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でない、
複数の直交周波数分割多重（ＯＦＤＭ）ボンデッドチャネルを介した送信のために前記フレームを出力するように構成されたインターフェースと、ここにおいて、パイロット信号を送信するためのパイロットサブキャリアの数が、前記ＯＦＤＭボンデッドチャネルの数の関数である、
を備える、ワイヤレス通信のための装置。
【請求項１６】
パイロットサブキャリアの前記数は、前記ＯＦＤＭボンデッドチャネルの前記数が２である場合、３６、３７、または４０である、請求項１５に記載の装置。
【請求項１７】
パイロットサブキャリアの前記数は、前記ＯＦＤＭボンデッドチャネルの前記数が３である場合、５６、５７、または６２である、請求項１５に記載の装置。
【請求項１８】
パイロットサブキャリアの前記数は、前記ＯＦＤＭボンデッドチャネルの前記数が４である場合、７６、７７、または８４である、請求項１５に記載の装置。
【請求項１９】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項１５に記載の装置。
【請求項２０】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でない、
複数の直交周波数分割多重（ＯＦＤＭ）ボンデッドチャネルを介した送信のために前記フレームを出力するように構成されたインターフェースと、ここにおいて、前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、
を備える、ワイヤレス通信のための装置。
【請求項２１】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項２０に記載の装置。
【請求項２２】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でない、
ボンデッドチャネルおよびシングルチャネルを介した送信のために前記フレームを出力するように構成されたインターフェースと、ここにおいて、前記ボンデッドチャネルが、送信のために利用可能な少なくとも１つの別のチャネルによって前記シングルチャネルから周波数的に分離され、ここにおいて、前記インターフェースが、前記ボンデッドチャネルおよび前記シングルチャネルのみを介した送信のために前記フレームを出力するように構成された、
を備える、ワイヤレス通信のための装置。
【請求項２３】
少なくとも１つのアンテナをさらに備え、ここにおいて、前記インターフェースが、前記少なくとも１つのアンテナを介した送信のための前記フレームを出力するように構成され、ここにおいて、前記装置が、ワイヤレスノードとして構成された、請求項２２に記載の装置。